【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
送信端末と受信端末の間で映像信号の送受信が行なわれる通信システムであって、
前記送信端末から前記受信端末に対して映像信号を送信する際に使用する無線周波数帯域をモニターするモニター手段と、
前記モニター手段で、他の無線システムから発信されたビーコン信号を検知した場合に、検知したビーコン信号を解析して、前記ビーコン信号が発信される期間を予想する発信期間推測手段と、
前記発信期間推測手段により前記ビーコン信の発信が予想される期間中は、前記送信端末から前記受信端末への前記映像信号の送信を停止させ、前記送信を停止している期間中は、前記映像信号を前記送信端末内のバッファに蓄積させ、前記ビーコン信号の発信が予想される期間の経過後、前記バッファに蓄積した映像信号を、前記映像信号同期情報とともに、前記受信端末に送信させ、
前記受信端末は、前記送信端末から送信された映像信号及び映像信号同期情報を受信し、前記受信した映像信号及び前記映像信号同期情報に基いて、映像表示規格に沿った映像信号を生成して、出力し、
前記送信端末は、前記映像信号を前記バッファに記憶されたのと同じ順序で、当該映像信号のブランキング期間をも利用して送信し、
前記発信期間推測手段が、前記受信端末に設けられたビーコン解析部を含み、前記ビーコン解析部による解析の結果得られる前記ビーコン信号の発信が予想される期間と前記ビーコン信号の送信周期を示す情報が、前記受信端末から前記送信端末へ送信される
ことを特徴とする通信システム。
【請求項２】
前記モニター手段が、前記受信端末に設けられたビーコン受信部を含むことを特徴とする請求項１に記載の通信システム。
【請求項３】
前記受信端末が、前記送信端末から送信された映像信号及び前記映像信号同期情報を記憶するバッファと、前記バッファからの読み出しを制御する読み出し制御部とを有し、
前記読み出し制御部は、前記送信端末から送信された前記映像信号同期情報と、
前記ビーコン信号の発信が予想される期間と、前記ビーコン信号の送信周期を示す情報とに基づいて、前記バッファの読み出し開始時刻を制御することを特徴とする請求項１に記載の通信システム。
【請求項４】
一般的な無線ＬＡＮビーコンの送信周期を想定して予め定められた値に基づいて、前記受信端末の前記バッファの容量の上限が決められることを特徴とする請求項１又は２に記載の通信システム。
【請求項５】
前記ビーコン信号の発信が予想される期間を示す情報から、前記映像信号の送信が停止される期間を予想し、該予想した期間の送信データを緩衝可能なように、前記受信端末の前記バッファの容量が定められることを特徴とする請求項１又は２に記載の通信システム。
【請求項６】
ネットワークを通じて受信端末と接続され、外部から供給される映像信号を前記記受信端末に送信する送信端末であって、
前記映像信号を記憶するバッファと、
前記バッファに記憶された前記映像信号を、前記無線ネットワークを通じて前記受信端末に送信する通信部と、
前記送信端末から前記受信端末に対して前記映像信号を送信する際に使用する無線周波数帯域において、他の無線システムによりビーコン信号の発信が予想される期間に、前記送信端末から前記受信端末への前記映像信号の送信を停止させ、前記送信を停止している期間中は、前記バッファに前記映像信号を蓄積させ、前記ビーコン信号の発信が予想される期間の経過後、前記受信端末に対して前記バッファに蓄積した前記映像信号を、映像信号同期情報とともに、前記通信部により、前記受信端末に送信させる通信制御部とを備え、
前記通信制御部は、前記映像信号を前記バッファに記憶されたのと同じ順序で、当該映像信号のブランキング期間をも利用して送信させる
ことを特徴とする送信端末。
【請求項７】
前記送信端末から前記受信端末に前記映像信号を送信する際に使用する無線周波数帯域をモニターするビーコン受信部と、
前記ビーコン受信部で前記ビーコン信号を検知した場合に、検知したビーコン信号を解析して、前記ビーコン信号が発信される期間を予想する解析部とをさらに備える
ことを特徴とする請求項６に記載の送信端末。
【請求項８】
前記通信部は、前記予想される期間を示す情報を、前記受信端末に向けて送信することを特徴とする請求項７に記載の送信端末。
【請求項９】
前記送信端末から前記受信端末に前記映像信号を送信する際に使用する無線周波数帯域をモニターした結果検知された、前記他の無線システムによるビーコン信号の受信時刻と送信周期を示す情報が前記受信端末から前記送信端末に送信され、
前記受信端末から送信された前記ビーコン信号の受信時刻と送信周期を示す情報に基づいて前記ビーコン信号が発信される期間を予想する発信期間推測手段をさらに有し、
前記通信制御部が、前記発信期間推測部により予想される期間を示す情報に基づいて、前記バッファ及び前記通信部に対する制御を行う
ことを特徴とする請求項６に記載の送信端末。
【請求項１０】
送信端末から送信された映像信号を受信する受信端末であって、
前記送信端末から送信された映像信号及び映像信号同期情報を受信する通信部と、
前記通信部で受信した前記映像信号及び映像信号同期情報を記憶するバッファと、
前記バッファに記憶された前記映像信号同期情報から、映像表示規格に沿って前記記憶した映像信号を読み出す読み出し手段とを有し、
他の無線システムによるビーコン信号の発信が予想される期間には、前記映像信号の送信が停止され、前記ビーコン信号の発信が予想される期間の経過後に、前記映像信号を、前記映像信号同期情報とともに、前記映像信号のブランキング期間をも利用して送信されることを特徴とする受信端末。
【請求項１１】
前記読み出し制御部は、前記他の無線システムによるビーコン信号が一般的な無線ＬＡＮビーコンの送信周期を持つものとして前記バッファの読み出しの制御を行うことを特徴とする請求項１０に記載の受信端末。
【請求項１２】
前記ビーコン信号を検出するビーコン受信部と、
検出したビーコンを解析して、前記ビーコン周期情報を取得し、前記ビーコンが発信される期間を予想するビーコン解析部とをさらに備え、
前記読み出し制御部は、前記ビーコン解析部で取得された前記ビーコン周期情報及び前記ビーコン解析部で発信が予想される期間に基づいて、前記バッファからの読み出しを制御することを特徴とする請求項１０に記載の受信端末。
【請求項１３】
前記バッファの容量が、前記映像信号同期情報、前記ビーコンの周期情報、及び前記ビーコン信号の発信が予想される期間を示す情報に基づいて定められることを特徴とする請求項１０に記載の受信端末。
【手続補正２】
【補正対象書類名】明細書
【補正対象項目名】００１１
【補正方法】変更
【補正の内容】
【００１１】
上記の課題を解決するために、本発明の通信システムは、
送信端末と受信端末の間で映像信号の送受信が行なわれる通信システムであって、
前記送信端末から前記受信端末に対して映像信号を送信する際に使用する無線周波数帯域をモニターするモニター手段と、
前記モニター手段で、他の無線システムから発信されたビーコン信号を検知した場合に、検知したビーコン信号を解析して、前記ビーコン信号が発信される期間を予想する発信期間推測手段と、
前記発信期間推測手段により前記ビーコン信の発信が予想される期間中は、前記送信端末から前記受信端末への前記映像信号の送信を停止させ、前記送信を停止している期間中は、前記映像信号を前記送信端末内のバッファに蓄積させ、前記ビーコン信号の発信が予想される期間の経過後、前記バッファに蓄積した映像信号を、前記映像信号同期情報とともに、前記受信端末に送信させ、
前記受信端末は、前記送信端末から送信された映像信号及び映像信号同期情報を受信し、前記受信した映像信号及び前記映像信号同期情報に基いて、映像表示規格に沿った映像信号を生成して、出力し、
前記送信端末は、前記映像信号を前記バッファに記憶されたのと同じ順序で、当該映像信号のブランキング期間をも利用して送信し、
前記発信期間推測手段が、前記受信端末に設けられたビーコン解析部を含み、前記ビーコン解析部による解析の結果得られる前記ビーコン信号の発信が予想される期間と前記ビーコン信号の送信周期を示す情報が、前記受信端末から前記送信端末へ送信される
ことを特徴とする。